(57)【要約】【課題】多量の試し印刷を行うことなく、印刷機に取り付けられた刷版が正しく装着されたものか否かを検出することができる刷版の誤装着検出装置を提供すること。【解決手段】刷版が印刷機の適正な位置に装着されたものか否かを検出する刷版の誤装着検出装置について、印刷機に設けた印刷機情報表示部を撮像する撮像手段Ａと、刷版に設けた刷版情報表示部を撮像する撮像手段Ｂと、少なくとも前記撮像手段Ｂで撮像するタイミングを決定する撮像時決定手段Ｃと、撮像された印刷機情報表示部及び撮像された刷版情報表示部を並記して表示する識別情報同時表示手段Ｄと、を有する刷版の誤装着検出装置として構成した。【選択図】図１
2020131641.tif 000002
【特許請求の範囲】
【請求項１】
刷版が印刷機の適正な位置に装着されたものか否かを検出する刷版の誤装着検出装置において、
印刷機に設けた印刷機情報表示部を撮像する撮像手段Ａと、
刷版に設けた刷版情報表示部を撮像する撮像手段Ｂと、
少なくとも前記撮像手段Ｂで撮像するタイミングを決定する撮像時決定手段Ｃと、
撮像された印刷機情報表示部及び撮像された刷版情報表示部を並記して表示する識別情報同時表示手段Ｄと、を有する刷版の誤装着検出装置。
【請求項２】
前記印刷機情報表示部と前記刷版情報表示部とから印刷機情報表示と刷版情報表示を抽出する画像認識手段Ｇと、
前記印刷機情報表示と前記刷版情報表示とを照合し、印刷機情報と刷版情報とが一致するか否かを判定する識別情報照合手段Ｓと、をさらに有する請求項１記載の刷版の誤装着検出装置。
【請求項３】
前記画像認識手段Ｇは、印刷機情報表示部に表示された印刷機情報表示、及び刷版情報表示部に表示された刷版情報表示を、それらの背景色との色の相違から印刷機情報表示及び刷版情報表示として認識する色認識を行う請求項２記載の刷版の誤装着検出装置。
【請求項４】
前記識別情報照合手段Ｓが、印刷機情報表示と刷版情報表示のそれぞれの形状を対比して照合する請求項２又は請求項３記載の刷版の誤装着検出装置。
【請求項５】
前記識別情報照合手段Ｓが、印刷機情報表示と刷版情報表示のそれぞれを構成する文字や記号、図形の順序を対比して照合する請求項２又は請求項３記載の刷版の誤装着検出装置。
【請求項６】
前記撮像手段Ａと前記撮像手段Ｂが同一の撮像手段ＡＢである請求項１〜請求項５何れか１項記載の刷版の誤装着検出装置。
【請求項７】
少なくとも前記撮像手段Ｂで撮像する前記タイミングが、印刷機情報表示部と刷版情報表示部とを同一スクリーン上又は同一プリント上に表示可能な位置に印刷機情報表示部と刷版情報表示部が位置するときである請求項１〜請求項６何れか１項記載の刷版の誤装着検出装置。
【発明の詳細な説明】
【技術分野】
【０００１】
本発明は、印刷を行う刷版が印刷機の適正な位置に装着されたものか否かを検出する刷版の誤装着検出装置に関する。
【背景技術】
【０００２】
刷版交換直後の印刷物の状態は、試し刷り後の印刷物を作業員が実際にその目で目視して確認することが最も確実で間違いの無い方法である。しかしながら、新聞輪転印刷機に代表されるように、複数の印刷機に複数の刷版が取り付けられて印刷される場合には、刷版の付け間違いが生じ易く、実際の印刷物を確認していたのでは、それまでに多くの時間や多くの損紙が出ることに加えて、不良品が読者に配送される危険性もある。
【０００３】
本発明者らは、この問題に対して検討し、既に刷版の誤装着を防ぐための技術を開発してきており、例えば、特許第３６２２４２４号公報（特許文献１）や、特許第３５７２８４３号公報（特許文献２）等に記載がある。
【先行技術文献】
【特許文献】
【０００４】
【特許文献１】特許第３６２２４２４号公報
【特許文献２】特許第３５７２８４３号公報
【発明の概要】
【発明が解決しようとする課題】
【０００５】
本発明は、前記技術のさらなる改良を目的として研究を続けたことで生まれたものであり、多量の試し印刷を行うことなく、印刷機に取り付けられた刷版が正しく装着されたものか否かを検出することができる刷版の誤装着検出装置を提供するものである。
【課題を解決するための手段】
【０００６】
上記の課題を解決するために、本発明は次の構成を有する。即ち本発明は、刷版が印刷機の適正な位置に装着されたものか否かを検出する刷版の誤装着検出装置について、印刷機に設けた印刷機情報表示部を撮像する撮像手段Ａと、刷版に設けた刷版情報表示部を撮像する撮像手段Ｂと、少なくとも前記撮像手段Ｂで撮像するタイミングを決定する撮像時決定手段Ｃと、撮像された印刷機情報表示部及び撮像された刷版情報表示部を並記して表示する識別情報同時表示手段Ｄと、を有する刷版の誤装着検出装置である。
【０００７】
印刷機に設けた印刷機情報表示部を撮像する撮像手段Ａと、刷版に設けた刷版情報表示部を撮像する撮像手段Ｂとを設けたため、印刷機情報表示部に表示されている印刷機情報表示と、刷版情報表示部に表示されている刷版情報表示とを画像として取り込むことができる。
また、少なくとも前記撮像手段Ｂで撮像するタイミングを決定する撮像時決定手段Ｃを設けたため、より確実に印刷機情報表示部や刷版情報表示部を撮像することができる。
【０００８】
さらに、撮像された印刷機情報表示部及び撮像された刷版情報表示部を並記して表示する識別情報同時表示手段Ｄを有するため、印刷機情報表示部に表示されていた印刷機情報の表示（印刷機情報表示）と、刷版情報表示部に表示されていた刷版情報の表示（刷版情報表示）とを並記することができ、印刷機情報表示部と刷版情報表示部とが離れていても、印刷機情報表示と刷版情報表示を一度に認識することができる。
【０００９】
撮像手段Ａと撮像手段Ｂは、同一の撮像手段ＡＢであるものとすることができる。撮像手段Ａと撮像手段Ｂとを同一の撮像手段ＡＢとすれば、撮像手段Ａと撮像手段Ｂとを別々に設ける必要がない。
【００１０】
そして、少なくとも撮像手段Ｂで撮像するタイミングが、印刷機情報表示部と刷版情報表示部とを同一スクリーン上又は同一プリント上に表示可能な位置に印刷機情報表示部と刷版情報表示部が位置するときとすることができる。
少なくとも撮像手段Ｂで撮像するタイミングが、印刷機情報表示部と刷版情報表示部とを同一スクリーン上又は同一プリント上に表示可能な位置に印刷機情報表示部と刷版情報表示部が位置するときとしたため、印刷機情報と刷版情報とが一致するか否かを容易に検出することができる。
【００１１】
そして、これらの構成要素を備える刷版の誤装着検出装置であるから、印刷機に取り付けられた刷版が正しく装着されたものか否か等を目視によって簡単に検出することができる。
【００１２】
さらに本発明は、前記印刷機情報表示部と前記刷版情報表示部とから印刷機情報表示と刷版情報表示を抽出する画像認識手段Ｇと、前記印刷機情報表示と前記刷版情報表示とを照合し、印刷機情報と刷版情報とが一致するか否かを判定する識別情報照合手段Ｓと、をさらに有する刷版の誤装着検出装置として構成できる。
前記印刷機情報表示部と前記刷版情報表示部とから印刷機情報表示と刷版情報表示を抽出する画像認識手段Ｇを有するため、識別情報同時表示手段Ｄが並記した印刷機情報表示部と刷版情報表示部から印刷機情報表示と刷版情報表示とを目視によらず機械により認識し抽出することができる。これにより撮像された画像から、文字や記号、図形等の画像情報を得ることができる。
また、前記印刷機情報表示と前記刷版情報表示とを照合し、印刷機情報と刷版情報とが一致するか否かを判定する識別情報照合手段Ｓを有するため、元データが必要なく自動化された簡単なシステムからなる刷版の誤装着検出装置である。
【００１３】
画像認識手段Ｇは、印刷機情報表示部に表示された印刷機情報表示、及び刷版情報表示部に表示された刷版情報表示を、それらの背景色との色の相違から印刷機情報表示及び刷版情報表示として認識する色認識を行うものとすることができる。
画像認識手段Ｇが、印刷機情報表示部に表示された印刷機情報表示、及び刷版情報表示部に表示された刷版情報表示を、それらの背景色との色の相違から印刷機情報表示及び刷版情報表示として認識する色認識を行うものとしたため、画像データである印刷機情報表示部や刷版情報表示部から、簡単に印刷機情報表示や刷版情報表示を抽出することができる。
【００１４】
識別情報照合手段Ｓが、印刷機情報表示と刷版情報表示のそれぞれの形状を対比して照合するものとすることができる。
識別情報照合手段Ｓが、印刷機情報表示と刷版情報表示のそれぞれの形状を対比して照合するため、予め登録された文字や記号、図形の元データとの対比を省略することができる。これにより処理速度が上がり、また、元データの登録が不要となる。
【００１５】
識別情報照合手段Ｓが、印刷機情報表示と刷版情報表示のそれぞれを構成する文字や記号、図形の順序を対比して照合することができる。
識別情報照合手段Ｓが、印刷機情報表示と刷版情報表示のそれぞれを構成する文字や記号、図形の順序を対比して照合するため、予め登録された文字や記号、図形の元データとの対比を省略することができる。これにより処理速度が上がり、また、元データの登録が不要となる。
【発明の効果】
【００１６】
本発明の刷版の装着確認装置によれば、多量の試し印刷を行うことなく、印刷機に取り付けられた刷版が正しく装着されたものか否か等を検出することができる。
【図面の簡単な説明】
【００１７】
【図１】第１実施形態の刷版の誤装着検出装置の模式図である。
【図２】第２実施形態の刷版の誤装着検出装置のブロック図である。
【図３】識別情報同時表示手段によって表示されたスクリーン図である。
【図４】印刷機情報表示と刷版情報表示の従来の照合の仕方を表す模式図である。
【図５】印刷機情報表示と刷版情報表示の従来の照合の仕方を表す模式図である。
【発明を実施するための形態】
【００１８】
実施形態に基づき本発明をさらに詳細に説明する。なお、各実施形態において、同一の部位、材料、機能、作用効果等については、重複説明を省略する。
【００１９】
第１実施形態：
新聞輪転印刷機のように、複数の印刷機１０に複数の刷版２０が装着されるような場合には、版胴２の長手方向に複数の区画領域が形成されており、この各区画領域にそれぞれ別の刷版２０が取り付けられることになる。図１には、新聞輪転印刷機等の印刷機１０（図では複数の印刷機１０のうちの一の印刷機１０を示す）に本発明の刷版の誤装着検出装置１ａを使用する場合の模式図を示す。刷版の誤装着検出装置１ａは、所定の刷版２０が、所定の印刷機１０の所定の位置に取り付けられているかどうかを検出する装置である。刷版の誤装着検出装置１ａは、印刷機１０又は印刷機１０の周囲に設けた印刷機情報表示部１１と、刷版２０に設けた刷版情報表示部２１とを撮像する撮像手段ＡＢと、この撮像手段ＡＢで撮像するタイミングを決定する撮像時決定手段Ｃと、撮像された印刷機情報表示部１１と撮像された刷版情報表示部２１を並記して表示する識別情報同時表示手段Ｄと、を備えている。
【００２０】
印刷機１０又は印刷機１０の周囲に設けた印刷機情報表示部１１は、刷版２０を装着する印刷機１０の位置情報等を示す部位で、代表的には印刷機１０の位置情報等の印刷機情報１３が文字や記号、図形等による印刷機情報表示１２として示されている。印刷機情報表示１２は場合によりバーコードやその他の識別符号が示されるものであっても良い。印刷機情報表示部１１とは、印刷機情報表示１２がなされた部位とその近傍を含む概念である。
【００２１】
一方、刷版２０には刷版情報表示部２１が形成されている。刷版情報表示部２１は、該当する刷版２０をどの印刷機１０のどの位置にとりつけるべきか等を示す部位であり、代表的にはそれらの刷版情報２３が文字や記号、図形等による刷版情報表示２２として示されている。刷版情報表示２２は場合によりバーコードやその他の識別符号が示されるものであっても良い。刷版情報表示部２１とは、刷版情報表示２２がなされた部位とその近傍を含む概念である。
【００２２】
印刷機情報表示部１１に表示された印刷機情報表示１２と、刷版情報表示部２１に表示された刷版情報表示２２とが照合され、それらが一致すれば、適正な刷版２０が適正な印刷機１０の区画領域に取り付けられたものとわかるが、それらが不一致であれば、刷版２０の取付けミスが起こっていることがわかる。
【００２３】
印刷機情報表示部１１は、印刷機１０の周囲としては、版胴２の外周近くに印刷ユニットカバーを設けたり、刻印プレート３（図１）を設けたりしてそれらの表面に形成することができ、あるいは、版胴２に刷版２０を取り付けてもなお露出する版胴２の外周面（図示せず）に設けることもできる。
【００２４】
一方、刷版情報表示部２１は、刷版２０の画線部又は非画線部に設けることができる。画線部に刷版情報表示部２１が形成される場合は、実際の印刷工程で印刷に影響が出ないように、本刷りのときまでには消失することが好ましい。即ち、水、光、熱で分解するようなインキ、例えば親水性インキをインキジェットプリンタ等で刷版２０の表面に形成することで得ることができる。この技術は技術文献として例示した特許第３６２２４２４号公報（特許文献１）や特許第３５７２８４３号公報（特許文献２）などで詳述している。一方、刷版情報表示部２１を非画線部に設ける場合には、刷版２０の端縁部（図示せず）などに設けることができる。
【００２５】
このように、印刷機情報表示部１１や刷版情報表示部２１は印刷機１０やその周辺、刷版２０の様々な部位に設けることができるが、それらの部位は撮像装置ＡＢによって撮像可能な範囲である必要があり、撮像装置ＡＢの解像度と設置位置、あるいは撮像装置ＡＢの可動範囲に依存する。また反対に、撮像装置ＡＢの解像度や設置位置等は、印刷機情報表示部１１と刷版情報表示部２１の設置位置に依存する。
【００２６】
本実施形態では、印刷機情報表示１２がなされた印刷機情報表示部１１を撮像する撮像手段Ａと、刷版情報表示２２がなされた刷版情報表示部２１を撮像する撮像手段Ｂを一の撮像手段ＡＢからなるものとしており、一例として一のＣＣＤカメラを利用できる。ＣＣＤカメラは、印刷機１０の近くで印刷機情報表示部１１と刷版情報表示部２１とを撮影できる位置に設置する。
【００２７】
撮像時決定手段Ｃは、撮像手段ＡＢであるＣＣＤカメラで印刷機情報表示部１１と刷版情報表示部２１の静止画を撮像するタイミングを決定する装置等であり、例えばエンコーダを利用することができる。印刷機１０に刷版２０を取り付けた後に、印刷機情報表示部１１と刷版情報表示部２１の位置が離れている場合には、ＣＣＤカメラに印刷機情報表示部１１と刷版情報表示部２１が同時に映らない場合が多い。そのため、版胴２を回転させ、印刷機情報表示部１１の付設位置に対して、回転する刷版情報表示部２１が近づき、印刷機情報表示部１１と刷版情報表示部２１とが一度にＣＣＤカメラで撮像できるようなタイミングで静止画が得られれば、印刷機情報表示１２と刷版情報表示２２の照合がし易い。あるいはまた、印刷機情報表示部１１と刷版情報表示部２１とを別々に撮像する場合であっても、印刷機情報表示部１１の配置位置に比べて相対移動する刷版情報表示部２１を撮像する際には、ＣＣＤカメラで撮像できる範囲内に刷版情報表示部２１が回転移動してきた際に静止画を撮像する必要がある。なお、撮像時決定手段Ｃによって決定されたタイミングにＣＣＤカメラによって静止画を撮像するように制御手段Ｔによって制御される。なお制御手段ＴはＩＣチップのようなものであって良く、またコンピュータ等によるものであっても良い。
【００２８】
識別情報同時表示手段Ｄは、撮像された印刷機情報表示部１１と、撮像された刷版情報表示部２１とを並記して表示するものである。具体的な一例としては、撮像された印刷機情報表示部１１と刷版情報表示部２１を表示するモニタやディスプレイであり、あるいは撮像された印刷機情報表示部１１と刷版情報表示部２１とを出力するプリンタ等である。
【００２９】
ここで、並記とは隣り合わせに配置する場合のみならず、互いに方向が別々に配置するような場合であっても良く、印刷機情報表示部１１と刷版情報表示部２１の両者が同一スクリーン上又は同一プリント上に含まれる場合が挙げられる。しかしながら、印刷機情報表示１２と刷版情報表示２２との照合を目視で行う場合には、印刷機情報表示部１１と刷版情報表示部２１がそれぞれ別スクリーン上又は別プリント上に表示されても両者が同時に目視できるものであれば良く、また、印刷機情報表示部１１と刷版情報表示部２１がそれぞれ別プリントとして出力されても両者が同時に目視できるものであれば良い。但し、視認性や、簡便性の観点から同一スクリーン上又は同一プリント上に表示することが好ましい。
【００３０】
こうした構成からなる刷版の誤装着検出装置１ａの作用について説明する。作業者は各印刷機１０の区画領域ごとに必要な刷版２０を従来からの方法に従って装着する。そして、版胴２を１０回転以内程度に軽く動かすと、撮像時決定手段Ｃが適当なタイミング導き、撮像装置ＡＢが印刷機情報表示部１１及び刷版情報表示部２１の静止画を撮像する。そして、識別情報同時表示手段Ｄが、印刷機情報表示部１１と刷版情報表示部２１とを並記した静止画として表示する。作業者は印刷機情報表示部１１の印刷機情報表示１２と、刷版情報表示部２１の刷版情報表示２２とを一目で対比して参照することができ、印刷機情報表示１２と刷版情報表示２２が一致するか否かを瞬時に判定し、印刷機情報１３と刷版情報２３の一致、不一致を検出することができる。
【００３１】
第１実施形態の変形例：
撮像装置ＡＢは、取り付けられる刷版２０ごとに設けることが好ましいが、複数の刷版２０の刷版情報表示部２１や、印刷機１０に設けた複数の印刷機情報表示部１１を撮像できる撮像装置ＡＢを用いるものとしても良い。また、一の撮像装置ＡＢで、複数の刷版２０の刷版情報表示部２１や印刷機１０の複数の印刷機情報表示部１１を撮像できるように、その撮像装置ＡＢを移動させたり角度を変えたりする撮像装置移動装置を利用するものであっても良い。
【００３２】
撮像装置ＡＢのように印刷機情報表示部１１及び刷版情報表示部２１の両者を撮像する装置に代えて、印刷機情報表示部１１を撮像する撮像装置Ａと、刷版情報表示部２１を撮像する撮像装置Ｂとを別に設けるものであっても良い。撮像装置Ａと撮像装置Ｂとを別に設ける場合でも、識別情報同時表示手段Ｄが撮像装置Ａから得られた印刷機情報表示部１１と、撮像装置Ｂから得られた刷版情報表示部２１とを並記して表示することで、作業者は印刷機情報表示１２と刷版情報表示２２とを一目で対比して参照することができ、印刷機情報表示１２と刷版情報表示２２が一致するか否かを瞬時に判定することができる。撮像装置Ａと撮像装置Ｂとを別々に設ける場合には、撮像時決定手段Ｃは撮像手段Ａ及撮像手段Ｂの双方の撮像タイミングを決定するが、印刷機情報表示部１１は通常、動かない部分に形成されるため、撮像装置Ａについては撮像するタイミングを決定する必要がなく、撮像装置Ｂのみの撮像タイミングを決定すれば良い場合が多い。
【００３３】
第１実施形態で説明した刷版の誤装着検出装置１ａによれば、この誤装着検出装置１ａだけで付け間違いを検出することができる。そのため、刷版２０及び版胴２を管理するメインシステムにアクセスする必要がなく、システム構成が容易であり、システムの管理、維持等も容易である。
【００３４】
第２実施形態：
本実施形態として説明する刷版の誤装着検出装置１ｂは、第１実施形態として説明した刷版の誤装着検出装置１ａに加え、別の手段を備えるものである。
即ち、刷版の誤装着検出装置１ｂは、印刷機１０又は印刷機１０の周囲に設けた印刷機情報表示部１１と、刷版２０に設けた刷版情報表示部２１とを撮像する撮像手段ＡＢと、この撮像手段ＡＢの撮像するタイミングを決定する撮像時決定手段Ｃと、撮像された印刷機情報表示部１１と撮像された刷版情報表示部２１を並記して表示する識別情報同時表示手段Ｄと、を備える刷版の後装置検出装置１ａに加え、図２のブロック図で示すように、前記印刷機情報表示部１１と前記刷版情報表示部２１とから印刷機情報表示１２と刷版情報表示２２を抽出する画像認識手段Ｇと、前記印刷機情報表示１２と前記刷版情報表示２２とを照合し、印刷機情報１３と刷版情報２３とが一致するか否かを判定する識別情報照合手段Ｓと、を備えている。
【００３５】
画像認識手段Ｇは、撮像装置ＡＢであるＣＣＤカメラで読み取り、識別情報同時表示手段Ｄにより表示された印刷機情報表示部１１と刷版情報表示部２１を含む画像信号から、印刷機情報表示１２と刷版情報表示２２とを識別するものである。即ち、上記ＣＣＤカメラによる撮像から文字や記号、図形等で表された印刷機情報表示１２や刷版情報表示２２を、その背景等と区別した画像信号として識別するものである。
【００３６】
例えば、識別情報同時表示手段Ｄが、図３で示すような一スクリーン上に、撮像手段ＡＢによって撮像された印刷機情報表示部１１と刷版情報表示部２１とを並記して表示する場合に、一スクリーン内に表示された撮像情報の全体から文字や記号、図形等をそれ以外の部分とは異なるものと認識する必要がある。目視によればそうした区別は容易でも、コンピュータによる場合は種々の文字認識やパターン認識の手法を用いることになる。ここでもそうした公知の手法を用いることができるが、画像認識手段Ｇでは、印刷機情報表示部１１に表示された印刷機情報表示１２や、刷版情報表示部２１に表示された刷版情報表示２２を、それらの背景色との色の相違から印刷機情報表示１２と刷版情報表示２２として認識する、色認識を行うことが好ましい。印刷機情報表示１２や刷版情報表示２２を背景と明確に区別でき、印刷機情報表示１２や刷版情報表示２２を識別し易いからである。
【００３７】
例えば、印刷機１０又はその周囲に設けた印刷機情報１３は赤色で表示して印刷機情報表示１２を形成し、その周囲となる背景は黒色としておく。また、刷版２０の表面は刷版２０の通常の色であるのに対して、刷版情報２３はそれとは異なるインキにて刷版情報表示２２を形成しておく。そうすると、印刷機情報表示部１１からは印刷機情報１３が赤色の印刷機情報表示１２として、その周囲の黒色と区別して認識される。一方、刷版情報表示部２１からは、刷版情報２３が、刷版２０の表面色（例えば青色）とは異なった色（例えば緑色）からなる刷版情報表示２２として表示され、刷版２０の表面色（例えば青色）と区別して認識される。
【００３８】
ところで、印刷機情報１３と刷版情報２３とを照合する場合において、図４で示すように従来の方法によれば、刷版２０から得られる刷版情報表示２２はバーコードなどによるデジタル情報であって、文字や記号、図形等を画像情報として認識するものではなく、また、照合する印刷機情報１３も既に元データとしてメモリ等に蓄積されているデジタルデータであった。そのため、取得するデータは簡単にデジタル入力できる情報に限られ、照合するデータも予め登録されているデジタルデータに限られていた。
【００３９】
しかしながら、そうした従来技術と異なり、画像認識手段Ｇによる一手法では、印刷機情報表示部１１と刷版情報表示部２１とから印刷機情報表示１２と刷版情報表示２２を通常の画像認識や文字認識の手法により抽出する。そして、印刷機情報１３と刷版情報２３の双方が文字や記号、図形等からなる画像情報である場合には、図５で示すように、印刷機情報１３及び刷版情報２３の双方に対して、文字や記号、図形等の元データを予め登録し、準備しておき、その元データとの間で抽出した画像情報の特徴点や特徴量との類似点を比較して、読み取られた印刷機情報１３や刷版情報２３が、既存の元データ上のどの文字や記号、図形等に最も一致するかを選定（第１段階照合）する。そして、識別情報照合手段Ｓは、そこで一致するとされた印刷機情報１３に対する元データと、刷版情報２３に対する元データとを照合（第２段階照合）する。こうして、最後に印刷機情報１１と刷版情報２１の一致、不一致を検出することができる。
【００４０】
しかしながら好ましい識別情報照合手段Ｓによれば、前記画像認識手段Ｇで画像情報として得られた印刷機情報表示１２と、同じく画像認識手段Ｇで画像情報として得られた刷版情報表示２２とを直接照合することを特徴とすることができる。次にこの照合の仕方が異なる２種の識別情報照合手段Ｓ１，Ｓ２について説明する。
【００４１】
第１の識別情報照合手段Ｓ１：
第１の識別情報照合手段Ｓ１は、画像認識手段Ｇにより印刷機情報表示１２として認識された文字や記号、図形等の形状と、画像認識手段Ｇにより刷版情報表示２２として認識された文字や記号、図形等の形状とを対比し、互いに対になる形状以外の形状が存在するか否かで照合する。例えば、印刷機情報表示１２も刷版情報表示２２も互いに「２号機表Ｙ」であった場合には、画像認識手段Ｇによって印刷機情報表示１２として認識された赤色からなる「２号機表Ｙ」という各文字の形状と、同じく画像認識手段Ｇによって刷版情報表示２２として認識された緑色からなる「２号機表Ｙ」という各文字の形状とが対比され、赤色の「２」の文字と、緑色の「２」の文字とがそれぞれの形状から一致すると認識され、同様に、「号」、「機」、・・・が一致すると認識されて、余分な形状が存在しないことをもって、印刷機情報表示１２と刷版情報表示２２とが一致すると判断する。ここで、余分な形状が存在すれば印刷機情報表示１２と刷版情報表示２２とが一致しないと判断する。
【００４２】
第２の識別情報照合手段Ｓ２：
第２の識別情報照合手段Ｓ２は、画像認識手段Ｇにより印刷機情報表示１２として認識された文字や記号、図形等の順序と、画像認識手段Ｇにより刷版情報表示２２として認識された文字や記号、図形等の形状の順序とを対比し、その順序が互いに等しいか否かで照合する。上記の例で、印刷機情報表示１２として、「２」→「号」→「機」→「表」→「Ｙ」の順序が認識され、刷版情報表示２２としても同様の順序が認識されたならば印刷機情報表示１２と刷版情報表示２２とが一致すると判断する。一方、その順序に異なったものがあると認識されれば印刷機情報表示１２と刷版情報表示２２とが一致しないと判断する。
【００４３】
なお、上記の例では、印刷機情報表示１２と刷版情報表示２２とが異なる色で表示された場合については色情報に基づき容易に色ごとに形状や順序を判断することが可能である。しかし、同色として認識された場合には、印刷機情報表示１２に属する画像情報か、刷版情報表示２２に属する画像情報かが色で区別できない。そこで、この場合は、第１の識別情報照合手段Ｓ１であれば、同じ形状の画像情報どうしを対としていき、余分な奇数個の画像情報が認識されなければ印刷機情報表示１２と刷版情報表示２２とが一致すると判断し、余分な奇数個の画像情報が認識されれば印刷機情報表示１２と刷版情報表示２２とが一致しないと判断することができる。また、第２の識別情報照合手段Ｓ２であれば、隣接する画像情報を結んでできる画像情報の列として同じものが２つできる場合には印刷機情報表示１２と刷版情報表示２２とが一致すると判断でき、同じものができない場合には印刷機情報表示１２と刷版情報表示２２とが一致しないと判断できる。
【００４４】
こうした構成からなる刷版の誤装着検出装置１ｂの作用について説明する。識別情報同時表示手段Ｄが、印刷機情報表示部１１と刷版情報表示部２１とを並記して表示するところまでは刷版の誤装着検出装置１ａと同じである。その後、並記された印刷機情報表示部１１と刷版情報表示部２１について画像認識手段Ｇが、印刷機情報表示１２と刷版情報表示２２とをその周囲の背景等から識別する。そして、識別情報照合手段Ｓがこの印刷機情報表示１２と刷版情報表示２２とを照合し、両者が一致するものか否かを判定する。
【００４５】
上記実施形態は本発明の一例であり、公知の手段や方法をさらに備えるものであっても良く、本発明の趣旨を変更しない範囲で適宜、変更が可能である。
【符号の説明】
【００４６】
１ａ，１ｂ  刷版の誤装着検出装置
２  版胴
３  刻印プレート
１０  印刷機
１１  印刷機情報表示部
１２  印刷機情報表示
１３  印刷機情報
２０  刷版
２１  刷版情報表示部
２２  刷版情報表示
２３  刷版情報
Ａ，Ｂ，ＡＢ  撮像手段（ＣＣＤカメラ）
Ｃ  撮像時決定手段（エンコーダ）
Ｄ  識別情報同時表示手段
Ｇ  画像認識手段
Ｓ  識別情報照合手段
Ｔ  制御手段
【図１】
2020131641.tif 000003
【図２】
2020131641.tif 000004
【図３】
2020131641.tif 000005
【図４】
2020131641.tif 000006
【図５】
2020131641.tif 000007